(57)【特許請求の範囲】
【請求項１】
乾燥運転モードと暖房運転モードで動作可能であり、熱源機から送られる熱媒によって空気を加熱して浴室内に送る浴室空調機であって、
前記熱源機の種類を特定する種類特定情報を前記熱源機から受信する受信部と、
熱媒の温度を特定する温度特定情報を前記熱源機へ送信する送信部と、
制御部を備えており、
前記制御部は、前記乾燥運転モードにおいて、前記受信部から受信する種類特定情報によって特定される前記熱源機の種類がヒートポンプを備えている熱源機である場合は、前記熱源機から第１温度の熱媒が送られるように第１温度を特定する第１温度特定情報を前記送信部から前記熱源機へ送信し、前記受信部から受信する種類特定情報によって特定される前記熱源機の種類がヒートポンプを備えていない熱源機である場合は、前記熱源機から前記第１温度より高温の第２温度の熱媒が送られるように第２温度を特定する第２温度特定情報を前記送信部から前記熱源機へ送信する、浴室空調機。
【請求項２】
前記制御部は、前記乾燥運転モードにおいて、前記熱源機の種類を特定できない場合は、前記第２温度特定情報を前記送信部から前記熱源機へ送信する、請求項１に記載の浴室空調機。
【請求項３】
前記制御部は、前記乾燥運転モードにおいて、ユーザーによって第２温度が指定された場合は、前記熱源機の種類がヒートポンプを備えている熱源機であるかヒートポンプを備えていない熱源機であるかに関わらず、前記第２温度特定情報を前記送信部から前記熱源機へ送信する、請求項１または２に記載の浴室空調機。
【請求項４】
前記熱源機から前記浴室空調機へ送られる熱媒の温度を検知する温度センサを更に備えており、
前記制御部は、前記第１温度特定情報を送信した場合であって、前記温度センサによって検知される熱媒の温度が第１温度より高い場合は、前記第２温度特定情報を前記送信部から前記熱源機へ送信する、請求項１に記載の浴室空調機。
【発明の詳細な説明】
【技術分野】
【０００１】
本明細書に開示する技術は、浴室空調機に関する。
【背景技術】
【０００２】
特許文献１には、熱源機から送られる熱媒によって空気を加熱して浴室内に送る浴室空調機が開示されている。
【０００３】
特許文献１の浴室空調機では、通常運転状態の場合は、熱源機から浴室空調機へ第１温度の熱媒が送られる。また、エコ運転状態の場合は、熱源機から浴室空調機へ第２温度の熱媒が送られる。浴室空調機の運転状態に応じた温度の熱媒が熱源機から浴室空調機へ送られる。浴室空調機では、運転状態に応じた温度の熱媒によって浴室内に送る空気が加熱される。
【先行技術文献】
【特許文献】
【０００４】
【特許文献１】特開２０１３−１６７４０３号公報
【発明の概要】
【発明が解決しようとする課題】
【０００５】
一般的に熱源機には様々な種類のものがある。そこで、熱源機に対して浴室空調機が接続された場合は、熱源機の種類に応じて、熱媒の温度を変えることが望ましい。熱源機の種類に応じた温度の熱媒によって、浴室内に送る空気を加熱することが望ましい。しかしながら、特許文献１の浴室空調機では熱源機の種類は全く考慮されていない。そこで本明細書は、熱源機の種類に応じた温度の熱媒によって浴室内に送る空気を加熱することができる技術を提供する。
【課題を解決するための手段】
【０００６】
本明細書に開示する浴室空調機は、乾燥運転モードと暖房運転モードで動作可能である。この浴室空調機は、熱源機から送られる熱媒によって空気を加熱して浴室内に送る。浴室空調機は、熱源機の種類を特定する種類特定情報を熱源機から受信する受信部と、熱媒の温度を特定する温度特定情報を熱源機へ送信する送信部と、制御部を備えている。制御部は、乾燥運転モードにおいて、受信部から受信する種類特定情報によって特定される熱源機の種類がヒートポンプを備えている熱源機である場合は、熱源機から第１温度の熱媒が送られるように第１温度を特定する第１温度特定情報を送信部から熱源機へ送信し、受信部から受信する種類特定情報によって特定される熱源機の種類がヒートポンプを備えていない熱源機である場合は、熱源機から第１温度より高温の第２温度の熱媒が送られるように第２温度を特定する第２温度特定情報を送信部から熱源機へ送信する。
【０００７】
このような構成によれば、熱源機がヒートポンプを備えている場合は、熱源機から浴室空調機へ第１温度の熱媒が送られる。浴室空調機では第１温度の熱媒によって浴室内に送る空気が加熱される。また、熱源機がヒートポンプを備えていない場合は、熱源機から浴室空調機へ第２温度の熱媒が送られる。浴室空調機では第２温度の熱媒によって浴室内に送る空気が加熱される。このように、熱源機の種類に応じた温度の熱媒によって浴室内に送る空気を加熱することができる。そのため、熱源機の種類に応じて、その特性を活用することができる。
【０００８】
例えば、既存の熱源機に対して新しい浴室空調機が接続されることがある。具体的には、浴室空調機のユーザーが、今まで使用していた古い浴室空調機が故障したことによって、浴室空調機を新しいものに交換することがある。一方、熱源機が故障しておらず、引き続きその熱源機をユーザーが使用することがある。このような場合は、既存の熱源機に対して新しい浴室空調機が接続される。
【０００９】
引き続き使用する既存の熱源機には様々な種類のものがある。既存の熱源機がヒートポンプを備えている場合もあれば、ヒートポンプを備えていない場合もある。ヒートポンプを備えている熱源機では、熱源機から浴室空調機へ送られる熱媒の温度が低い方が、エネルギー効率が高くなる。例えば、ヒートポンプのみを備える熱源機では、熱源機から浴室空調機へ送られる熱媒の温度が低い方が、ヒートポンプを高効率で動作させることができる。また、ヒートポンプと、他の熱源、例えばガス熱源を備える熱源機では、熱源機から浴室空調機へ送られる熱媒の温度が低い方が、ヒートポンプの利用割合が増加し、エネルギー効率が高くなる。これに対して、ヒートポンプを備えていない熱源機では、熱源機から浴室空調機へ送られる熱媒の温度を低くしても、エネルギー効率はそれほど変化しない。よって、既存の熱源機に対して新しい浴室空調機が接続された場合には、既存の熱源機の種類に応じて、熱媒の温度を変えることが望ましい。そこで、上記の構成では、熱源機の種類に応じて、浴室空調機から熱源機へ異なる温度特定情報を送信している。そのため、熱源機の種類に応じて、熱源機から浴室空調機へ異なる温度の熱媒が送られてくる。これによって、浴室空調機では、熱源機の種類に応じた温度の熱媒によって浴室内に送る空気を加熱することができる。熱源機の種類に応じて、その特性を活用することができる。
【００１０】
上記の浴室空調機において、制御部は、乾燥運転モードにおいて、熱源機の種類を特定できない場合は、第２温度特定情報を送信部から熱源機へ送信してもよい。
【００１１】
熱源機から浴室空調機に第２温度の熱媒が送られる場合、熱源機から浴室空調機に第１温度の熱媒が送られる場合に比べて、乾燥運転に要する時間は短いものとなる。上記の構成によれば、熱源機の種類を特定できない場合には、熱源機から浴室空調機に第２温度の熱媒を送ることによって、乾燥運転に要する時間を短くすることができる。
【００１２】
上記の浴室空調機において、制御部は、乾燥運転モードにおいて、ユーザーによって第２温度が指定された場合は、熱源機の種類がヒートポンプを備えている熱源機であるかヒートポンプを備えていない熱源機であるかに関わらず、第２温度特定情報を送信部から熱源機へ送信してもよい。
【００１３】
このような構成によれば、ユーザーの希望を反映させた温度の熱媒によって浴室内に送る空気を加熱することができる。
【００１４】
上記の浴室空調機において、熱源機から浴室空調機へ送られる熱媒の温度を検知する温度センサを更に備えていてもよい。制御部は、第１温度特定情報を送信した場合であって、温度センサによって検知される熱媒の温度が第１温度より高い場合は、第２温度特定情報を送信部から熱源機へ送信してもよい。
【００１５】
浴室空調機の制御部が第１温度特定情報を送信した場合であって、温度センサによって検知される熱媒の温度が第１温度より高い場合は、浴室空調機が熱源機に対して第１温度の熱媒を要求しているのも関わらず、熱源機から浴室空調機へ第１温度より高温の熱媒が送られている状態である。この状態は、例えば、熱源機に対して浴室空調機とその他の熱機器（例えばファンコンベクタ）が同時に接続されており、浴室空調機が熱源機に対して第１温度の熱媒を要求している一方で、その他の熱機器（例えばファンコンベクタ）が熱源機に対して第１温度より高温の熱媒を要求している状態である。その他の熱機器の要求によって、第１温度より高温の熱媒が熱源機からその他の熱機器に送られると共に、それと同時に浴室空調機にも第１温度より高温の熱媒が熱源機から送られる。浴室空調機では、第１温度より高温の熱媒によって浴室内に送る空気を加熱する。第１温度より高温の熱媒を利用して乾燥運転が行われる。この状態で、第１温度の熱媒が再び熱源機から浴室空調機へ送られると、乾燥運転中の熱媒の温度が第１温度より高い温度から第１温度に低下することによって、乾燥運転が正常に行われなくなることがある。そこで、浴室空調機の制御部は、第１温度特定情報を送信した場合であって、温度センサによって検知される熱媒の温度が第１温度より高い場合は、第２温度特定情報を熱源機へ送信する。これによって、第１温度の熱媒が熱源機から浴室空調機へ送られることがなくなる。そのため、乾燥運転中に熱媒の温度が低下することがなく、乾燥運転が正常に行われる。
【図面の簡単な説明】
【００１６】
【図１】実施例の浴室空調機と熱源機の概略構成を示す図である。
【図２】実施例の給湯暖房システムの概略構成を示す図であり、特にヒートポンプユニットとタンクユニットの概略構成を示す図である。
【図３】実施例の給湯暖房システムの概略構成を示す図であり、特にガス熱源機ユニットの概略構成を示す図である。
【図４】実施例の浴室空調機の概略構成を示す図である。
【図５】実施例の浴室空調機の制御部が実行する処理を示すフローチャートである（１）。
【図６】実施例の浴室空調機の制御部が実行する処理を示すフローチャートである（２）。
【発明を実施するための形態】
【００１７】
実施例に係る浴室空調機１について、図面を参照しながら説明する。図１に示すように、浴室空調機１は、熱源機１００に接続されて使用される。浴室空調機１は、コントローラー２００を備えている。コントローラー２００は、制御部２０１と受信部２０２と送信部２０３を備えている。同様に、熱源機１００は、コントローラー３００を備えている。コントローラー３００は、制御部３０１と受信部３０２と送信部３０３を備えている。浴室空調機１と熱源機１００は、受信部２０２、３０２と送信部２０３、３０３を介して通信可能に接続されている。
【００１８】
熱源機１００としては、例えば図２及び図３に示す給湯暖房システム２が使用される。給湯暖房システム２は、ガス熱源とヒートポンプ熱源の両者を備えている。熱源機１００としては、給湯暖房システム２の他にも、他の種類の熱源機が使用されることもある。一般的に世の中には様々な種類の熱源機が存在している。様々な種類の熱源機の中からユーザーが選択した熱源機が使用される。例えば、ガス熱源のみを備えている熱源機１００が使用される場合がある。或いは、ヒートポンプ熱源のみを備えている熱源機１００が使用される場合もある。また、浴室空調機１の製造メーカーと同じ製造メーカーによる熱源機１００が使用される場合がある。或いは、浴室空調機１の製造メーカーと異なる製造メーカーによる熱源機１００が使用される場合もある。
【００１９】
本明細書では、３種類の熱源機１００が存在すると仮定して説明する。タイプ１の熱源機１００と、タイプ２の熱源機１００と、タイプ３の熱源機１００が存在すると仮定する。
【００２０】
タイプ１の熱源機１００は、浴室空調機１から熱源機１００へ送信される確認信号に対して応答可能である。また、タイプ１の熱源機１００は、ヒートポンプを備えている。タイプ１の熱源機１００は、ヒートポンプのみを備えていることもあるし、ヒートポンプと他の熱源（例えば、ガス熱源）を備えていることもある。
【００２１】
タイプ２の熱源機１００は、タイプ１と同様に、浴室空調機１から熱源機１００へ送信される確認信号に対して応答可能である。しかしながら、タイプ２の熱源機１００は、ヒートポンプを備えていない。タイプ２の熱源機１００は、例えばガス熱源のみを備えている。
【００２２】
タイプ３の熱源機１００は、タイプ１、２と異なり、浴室空調機１から熱源機１００へ送信される確認信号に対して応答不能である。また、タイプ３の熱源機１００は、ヒートポンプを備えていることもあるし、ヒートポンプを備えていないこともある。
【００２３】
次に、熱源機１００としての給湯暖房システム２の構成について説明する。給湯暖房システム２は、タイプ１の熱源機１００である。図２に示すように、ヒートポンプユニット１０は、ヒートポンプ１１を備えている。ヒートポンプ１１は、圧縮機１２と、三流体熱交換器１３と、膨張弁１４と、空気熱交換器１５と、ファン１５ａと、除霜弁１７を備えている。ヒートポンプ１１では、冷媒（例えばＲ７４４のようなＣＯ２冷媒や、Ｒ４１０ＡのようなＨＦＣ冷媒など）が、圧縮機１２、三流体熱交換器１３、膨張弁１４、空気熱交換器１５の順に循環する。圧縮機１２は、冷媒を加圧して高温高圧の状態とする。三流体熱交換器１３では、冷媒流路１３ａを流れる冷媒と給湯用水流路１３ｂを流れる給湯用水の間、あるいは冷媒流路１３ａを流れる冷媒と暖房用水流路１３ｃを流れる暖房用水の間での熱交換により、冷媒を冷却する。膨張弁１４では、冷媒を減圧して低温低圧の状態とする。空気熱交換器１５では、内部を流れる冷媒と、ファン１５ａによって吹き付けられる外気との間での熱交換により、冷媒を加熱する。除霜弁１７は、平常時は閉じられており、空気熱交換器１５の除霜をするための除霜運転を行う際に開かれる。除霜弁１７を開いた状態で圧縮機１２を駆動すると、膨張弁１４を経由していない暖かい冷媒が空気熱交換器１５を流れて、空気熱交換器１５の外面に付着した霜が取り除かれる。
【００２４】
三流体熱交換器１３の給湯用水流路１３ｂには、給湯用水流入路１９ａと、給湯用水流出路１９ｂが接続されている。給湯用水流入路１９ａには、給湯用水循環ポンプ１８が取り付けられている。三流体熱交換器１３の暖房用水流路１３ｃには、暖房用水流入路１９ｃと、暖房用水流出路１９ｄが接続されている。暖房用水流入路１９ｃには、暖房流入サーミスタ１６ａが取り付けられている。暖房用水流出路１９ｄには、暖房流出サーミスタ１６ｂが取り付けられている。
【００２５】
タンクユニット２０は、タンク２１を備えている。タンク２１は、内部に水道水（以下では給湯用水ともいう）を蓄える密閉型の容器である。タンク２１の容量は、例えば１００リットルである。タンク２１には、その頂部近傍の水温を直接検出するタンク内部サーミスタ３９ａと、タンク２１の上端から所定容量の箇所（例えば、１０リットル、３０リットルおよび５０リットル）での水温を検出するタンク表面サーミスタ３９ｂ、３９ｃ、３９ｄが取り付けられている。タンク内部サーミスタ３９ａおよびタンク表面サーミスタ３９ｂ、３９ｃ、３９ｄの検出温度に基づいて、タンク２１の蓄熱状態を検出することができる。
【００２６】
タンク２１の底部には、給湯用水往路３３が接続されている。タンク２１の頂部には、給湯用水復路３４が接続されている。給湯用水往路３３は、第１給湯用水連結配管１０２ａを介して、ヒートポンプユニット１０の給湯用水流入路１９ａと連通している。給湯用水復路３４は、第２給湯用水連結配管１０２ｂを介して、ヒートポンプユニット１０の給湯用水流出路１９ｂと連通している。給湯用水循環ポンプ１８が駆動すると、タンク２１の下部から給湯用水往路３３に給湯用水が吸出され、この給湯用水が三流体熱交換器１３の給湯用水流路１３ｂを流れて、給湯用水復路３４を通じてタンク２１の頂部に戻される。このようにして、タンク２１とヒートポンプ１１との間で給湯用水の循環経路が構成されている。
【００２７】
給湯用水往路３３には、給湯往路サーミスタ３６が取り付けられている。給湯往路サーミスタ３６は、給湯用水往路３３を流れる水の温度を検出する。給湯用水復路３４には、圧力開放経路３８が接続されている。圧力開放経路３８には、リリーフ弁３８ａが取り付けられている。リリーフ弁３８ａの開弁圧力は、後述する減圧弁２２ｂの調圧値よりも僅かに大きく設定されている。減圧弁２２ｂの調圧が不能になった場合には、リリーフ弁３８ａが開き、タンク２１内の圧力が耐圧可能な圧力を超えるのを防止する。
【００２８】
タンク２１の底部には、タンク２１に給水する給水経路２２が接続されている。給水経路２２には、水道水入口２２ａを介して水道水が供給される。給水経路２２には、減圧弁２２ｂと、給水サーミスタ２２ｃが取り付けられている。減圧弁２２ｂは、給水経路２２における給水圧力を調整する。給水サーミスタ２２ｃは、給水経路２２を流れる水の温度を検出する。給水経路２２からは、バイパス給水経路２６が分岐している。給水経路２２には、バイパス給水経路２６の分岐箇所よりも下流側に、逆止弁２２ｄが取り付けられている。また、給水経路２２には、逆止弁２２ｄよりも下流側に、排水経路３１が接続されている。排水経路３１には、手動で開閉可能な排水弁３２が取り付けられている。排水弁３２を開くと、タンク２１内の水が排水経路３１を通じて外部に排出される。
【００２９】
バイパス給水経路２６には、逆止弁２６ａと、給水流量センサ２６ｂが取り付けられている。給水流量センサ２６ｂは、バイパス給水経路２６を流れる水の流量を検知する。バイパス給水経路２６は、混合弁２３に接続している。
【００３０】
タンク２１の頂部には、温水経路２５が接続されている。温水経路２５には、逆止弁２５ａと、温水流量センサ２５ｂが取り付けられている。温水流量センサ２５ｂは、温水経路２５を流れる水の流量を検出する。温水経路２５は、混合弁２３に接続している。
【００３１】
混合弁２３は、バイパス給水経路２６からの低温の水と、温水経路２５からの高温の水を混合して、混合温水経路２７に送り出す。混合弁２３は、内蔵された弁をステッピングモータにより駆動して、バイパス給水経路２６の開度と、温水経路２５の開度を調整可能である。混合温水経路２７には、混合サーミスタ２７ａが取り付けられている。混合サーミスタ２７ａは、混合温水経路２７を流れる水の温度を検出する。
【００３２】
混合温水経路２７は、給湯バーナ往路２８ａと、給湯バーナバイパス路２８ｂに分岐している。給湯バーナバイパス路２８ｂには、バイパス制御弁２８ｄが取り付けられている。バイパス制御弁２８ｄは、給湯バーナバイパス路２８ｂの開閉を切り替える。給湯バーナバイパス路２８ｂは、給湯バーナ復路２８ｃと合流して、給湯経路２９に連通している。給湯経路２９には、給湯サーミスタ２９ａが取り付けられている。給湯サーミスタ２９ａは、給湯経路２９を流れる水の温度を検出する。給湯経路２９は、給湯栓８０に連通している。給湯栓８０は、浴室、洗面所、台所等に配置されている（図２では、これら複数の給湯栓８０を１つで代表している）。
【００３３】
図３に示すように、ガス熱源機ユニット５０は、給湯器５１と暖房循環経路６１と浴槽循環経路７１とを備えている。給湯器５１は、給湯熱交換器５３とバーナ５４等を備えている。給湯熱交換器５３の入口側には、給湯用水流入路５２が接続されている。給湯用水流入路５２は、第３給湯用水連結配管１０４ａを介して、タンクユニット２０の給湯バーナ往路２８ａと連通している。給湯熱交換器５３の出口側には、給湯用水流出路５５が接続されている。給湯用水流出路５５は、第４給湯用水連結配管１０４ｂを介して、タンクユニット２０の給湯バーナ復路２８ｃと連通している。
【００３４】
給湯用水流入路５２には、入水サーミスタ５２ａと給湯水量センサ５２ｂと水量サーボ５２ｃが取り付けられている。入水サーミスタ５２ａと給湯水量センサ５２ｂは、それぞれ給湯用水流入路５２を流れる給湯用水の温度及び流量を検出する。水量サーボ５２ｃは、給湯用水流入路５２を流れる給湯用水の流量を調整する。バーナ５４は、ガスの燃焼によって給湯熱交換器５３を加熱する。給湯用水流出路５５には、給湯熱交換器５３の出口近傍に、缶体サーミスタ５６が取り付けられており、その下流側に出湯サーミスタ５７が取り付けられている。
【００３５】
給湯用水流入路５２における水量サーボ５２ｃの下流側と、給湯用水流出路５５の缶体サーミスタ５６と出湯サーミスタ５７の間には、バーナバイパス経路５８が接続されている。給湯用水流入路５２とバーナバイパス経路５８との接続部には、バイパス制御弁５９が設けられている。バイパス制御弁５９の開度を調整することによって、給湯用水流入路５２からバーナバイパス経路５８に流れる給湯用水の流量が調整される。
【００３６】
暖房循環経路６１は、シスターン６２と、第１暖房熱交換器６３ｃと、第２暖房熱交換器６６ｃと、バーナ６９等を備えている。シスターン６２は、内部に暖房用水（例えば水や不凍液）を蓄える開放型の容器である。シスターン６２の底部には、暖房往路６３が接続されている。暖房往路６３には、暖房用水循環ポンプ６３ａと、暖房低温サーミスタ６３ｂが取り付けられている。暖房低温サーミスタ６３ｂは、暖房往路６３を流れる暖房用水の温度を検出する。暖房往路６３の暖房用水循環ポンプ６３ａよりも下流側からは、低温暖房往路６４が分岐している。低温暖房往路６４は、例えば床暖房機などの低温暖房端末６７ａの入口側に接続されている。暖房往路６３は、第１暖房熱交換器６３ｃの入口側に接続されている。第１暖房熱交換器６３ｃの出口側には、高温暖房往路６５が接続されている。高温暖房往路６５には、暖房高温サーミスタ６５ａが設けられている。暖房高温サーミスタ６５ａは、高温暖房往路６５を流れる暖房用水の温度を検出する。高温暖房往路６５は、例えば浴室空調機などの高温暖房端末６７ｂの入口側に接続される。高温暖房端末６７ｂの出口側には、第１暖房復路６０ａが接続される。低温暖房端末６７ａの出口側には、第２暖房復路６０ｂが接続されている。第２暖房復路６０ｂは、第１暖房復路６０ａに合流している。
【００３７】
上述した高温暖房往路６５は、本明細書において往き管４１と称される場合がある。往き管４１（高温暖房往路６５）は、後述する浴室空調機１の入水管４４に接続される管である。また、上述した第１暖房復路６０ａは、本明細書において戻り管４２と称される場合がある。戻り管４２（第１暖房復路６０ａ）は、後述する浴室空調機１の出水管４５に接続される管である。
【００３８】
図３に示すように、第２暖房熱交換器６６ｃの入口側には、第３暖房復路６０ｃが接続している。第２暖房熱交換器６６ｃの出口側には、第４暖房復路６０ｄが接続している。第４暖房復路６０ｄは、シスターン６２の底部に連通している。バーナ６９は、ガスの燃焼によって第１暖房熱交換器６３ｃと、第２暖房熱交換器６６ｃを加熱する。高温暖房往路６５と第４暖房復路６０ｄは、暖房バイパス経路６８を介して接続されている。暖房バイパス経路６８には、暖房バイパス制御弁６８ａが設けられている。
【００３９】
高温暖房往路６５と第３暖房復路６０ｃは、追い焚き経路７８を介して接続されている。高温暖房往路６５における追い焚き経路７８の接続箇所には、追い焚き流量制御弁７８ａが設けられている。追い焚き流量制御弁７８ａの開度を調整することによって、高温暖房往路６５から追い焚き経路７８へ流れる暖房用水の流量が調整される。追い焚き経路７８には、追い焚き熱交換器７６が設けられている。追い焚き熱交換器７６では、暖房用水流路７６ａを流れる暖房用水と、浴槽水流路７６ｂを流れる浴槽水の間で熱交換が行われる。
【００４０】
浴槽循環経路７１の両端は、浴槽７２内に接続されている。浴槽循環経路７１には、浴槽ポンプ７３と、水流スイッチ７４と、浴槽戻りサーミスタ７５と、追い焚き熱交換器７６と、浴槽往きサーミスタ７７とが順に設けられている。浴槽ポンプ７３が駆動すると、浴槽７２内の湯が実線矢印に示すように、浴槽循環経路７１を流れ、追い焚き熱交換器７６の浴槽水流路７６ｂを流れる際に、暖房用水流路７６ａを流れる暖房用水により加熱される。浴槽戻りサーミスタ７５は、浴槽７２から浴槽循環経路７１に流入した浴槽水の温度を検出する。浴槽往きサーミスタ７７は、追い焚き熱交換器７６で加熱された後の浴槽水の温度を検出する。
【００４１】
浴槽循環経路７１において、追い焚き熱交換器７６よりも上流側には、湯はり経路７０が接続されている。湯はり経路７０は、給湯用水流出路５５に接続している。湯はり経路７０には、湯はり弁７０ａと、湯はり量センサ７０ｂが設けられている。湯はり弁７０ａを開くと、破線矢印に示すように、給湯用水流出路５５からの温水が、湯はり経路７０及び浴槽循環経路７１を通じて、浴槽７２に供給される。
【００４２】
図２に示すように、タンクユニット２０には、中継往路８２ａと、中継復路８２ｂと、中継バイパス路８２ｃが設けられている。中継往路８２ａは、第１暖房用水連結配管１０６ａを介して、ヒートポンプユニット１０の暖房用水流入路１９ｃと連通している。中継復路８２ｂは、第２暖房用水連結配管１０６ｂを介して、ヒートポンプユニット１０の暖房用水流出路１９ｄと連通している。また、中継往路８２ａは、第３暖房用水連結配管１０８ａを介して、ガス熱源機ユニット５０の第１暖房復路６０ａに連通している。中継復路８２ｂは、第４暖房用水連結配管１０８ｂを介して、ガス熱源機ユニット５０の第３暖房復路６０ｃに連通している。中継バイパス路８２ｃは、タンクユニット２０の内部で、中継往路８２ａと中継復路８２ｂを接続している。中継往路８２ａにおける中継バイパス路８２ｃの接続箇所には、混合弁８３が取り付けられている。中継往路８２ａの混合弁８３よりも上流側には、ヒートポンプ往きサーミスタ８４ａが取り付けられている。中継復路８２ｂにおける中継バイパス路８２ｃの接続箇所よりも上流側には、ヒートポンプ戻りサーミスタ８４ｂが取り付けられている。中継復路８２ｂにおける中継バイパス路８２ｃの接続箇所よりも下流側には、暖房混合サーミスタ８４ｃが取り付けられている。
【００４３】
ヒートポンプユニット１０には、ヒートポンプユニット１０の各構成要素の動作を制御するヒートポンプコントローラー１０ａが設けられている。ガス熱源機ユニット５０には、ガス熱源機ユニット５０の各構成要素の動作を制御するガス熱源機コントローラー５０ａが設けられている。タンクユニット２０には、タンクユニット２０の各構成要素の動作を制御するタンクコントローラー２０ａと、タンクコントローラー２０ａと通信可能に接続されたリモコン２０ｂが設けられている。タンクコントローラー２０ａは、図１に示す熱源機１００のコントローラー３００に相当する。リモコン２０ｂは、給湯暖房システム２の利用者に各種の情報を提示するとともに、給湯暖房システム２の利用者からの各種の操作入力を受け入れる。ヒートポンプコントローラー１０ａとタンクコントローラー２０ａは、通信可能に接続されている。ガス熱源機コントローラー５０ａとタンクコントローラー２０ａは、通信可能に接続されている。ヒートポンプコントローラー１０ａと、タンクコントローラー２０ａと、ガス熱源機コントローラー５０ａが、互いに協調して制御を行うことで、給湯暖房システム２は、各種の運転を実行することができる。
【００４４】
次に、浴室空調機の構成について説明する。熱源機１００として給湯暖房システム２を用いた場合について説明する。図１に示すように、浴室空調機１は、往き管４１（上述した給湯暖房システム２の高温暖房往路６５）と戻り管４２（上述した給湯暖房システム２の第１暖房復路６０ａ）を介して給湯暖房システム２に接続されている。往き管４１は、上述した給湯暖房システム２によって加熱された水（暖房用水）を浴室空調機１に送る。戻り管４２は、浴室空調機１で熱交換された水を給湯暖房システム２に戻す。なお、本実施例では水（暖房用水）を熱媒としているが、これに限定されるものではなく、熱源機１００の種類に応じて異なる熱媒が使用されてもよい。
【００４５】
図４に示すように、浴室空調機１は、浴室５内の空調を行う機器である。例えば、浴室空調機１は、浴室５内の暖房や乾燥を行う。浴室空調機１は、暖房運転モードと乾燥運転モードで動作可能である。浴室空調機１は、入水管４４と出水管４５を備えている。また、浴室空調機１は、気液熱交換器９１と循環ファン９４と湯温サーミスタ９２と換気ファン９８を備えている。
【００４６】
入水管４４は、往き管４１が接続される管である。入水管４４の一端に往き管４１が接続される。往き管４１によって浴室空調機１に送られた水が入水管４４に流入する。給湯暖房システム２によって加熱された水が往き管４１によって入水管４４に送られる。
【００４７】
出水管４５は、戻り管４２が接続される管である。出水管４５の一端に戻り管４２が接続される。出水管４５を流れた水が戻り管４２に流出する。出水管４５には、流量制御弁９３が設けられている。流量制御弁９３は、入水管４４と出水管４５を流れる水の流量を制御する。流量制御弁９３の開度を調整することによって入水管４４および出水管４５を流れる水の流量を調整できる。
【００４８】
また、入水管４４の他端と出水管４５の他端は、気液熱交換器９１に接続されている。入水管４４は、往き管４１によって送られた水を気液熱交換器９１に送る管である。入水管４４から気液熱交換器９１に水が流入する。給湯暖房システム２によって加熱された水が入水管４４によって気液熱交換器９１に送られる。出水管４５は、気液熱交換器９１で熱交換された水を戻り管４２に戻す管である。気液熱交換器９１から出水管４５に水が流出し、出水管４５から戻り管４２に水が流出する。
【００４９】
気液熱交換器９１は、例えば、温水コイルである。気液熱交換器９１は、加熱された水と空気の熱交換によって空気を加熱する。気液熱交換器９１は、給湯暖房システム２によって加熱されて気液熱交換器９１に送られた水の熱によって、浴室５内に送る空気を加熱する。気液熱交換器９１内を水が流れる過程で熱交換が行われる。
【００５０】
循環ファン９４は、気液熱交換器９１に隣接して配置されている。循環ファン９４は、モーター９４ａによって駆動される。循環ファン９４は、回転することによって空気を送風する。循環ファン９４は、浴室５内の空気を気液熱交換器９１に送るとともに、気液熱交換器９１によって加熱された空気を浴室５内に送る。すなわち、循環ファン９４は、浴室５内の空気を気液熱交換器９１との間で循環させる。循環ファン９４と対向する位置に可変ルーバー９７が配置されている。可変ルーバー９７は、循環ファン９４によって浴室５内に送風される空気の風向を変更可能である。可変ルーバー９７は、モーター９７ａによって駆動される。
【００５１】
湯温サーミスタ９２は、入水管４４に設けられている。湯温サーミスタ９２は、入水管４４を流れる水の温度を検知する。湯温サーミスタ９２は、給湯暖房システム２によって加熱された後の水であって気液熱交換器９１で熱交換される前の水の温度を検知する。
【００５２】
換気ファン９８は、モーター９８ａによって駆動される。換気ファン９８は、回転することによって浴室５内の空気を換気する。換気ファン９８は、浴室５内の湿った空気を浴室５外に排気する。浴室空調機１の乾燥運転モードでは、換気ファン９８が動作して浴室５内の空気を換気する。浴室空調機１の暖房運転モードでは、換気ファン９８が動作しない。
【００５３】
次に、浴室空調機の制御部が実行する処理について説明する。これにあたり、以下のような状況を想定する。すなわち、ユーザーが今まで使用していた古い浴室空調機が故障して使用不能になり、浴室空調機を新しい浴室空調機１に交換した状況を想定する。例えば、浴室空調機が経年劣化によって故障し、新しい浴室空調機１に買い換えた状況を想定する。一方、熱源機１００は故障しておらず、引き続き使用可能である状況を想定する。引き続き使用する熱源機１００に対して、交換した新しい浴室空調機１が接続される。
【００５４】
この場合、交換した新しい浴室空調機１の仕様と、引き続き使用する熱源機１００の仕様とが、互いに対応している場合もあれば、対応していない場合もある。例えば、浴室空調機１と熱源機１００の製造メーカーが同じである場合は、多くの場合は、浴室空調機１と熱源機１００の仕様が対応する。一方、浴室空調機１と熱源機１００の製造メーカーが異なる場合は、浴室空調機１と熱源機１００の仕様が対応しないことがある。また、浴室空調機１と熱源機１００の製造メーカーが同じであっても、製造時期や製造モデル等の違いによって、浴室空調機１と熱源機１００の仕様が対応しないことがある。このように、浴室空調機１と熱源機１００の仕様が様々であり、浴室空調機１を新しいものに交換すると、新しい浴室空調機１の仕様と引き続き使用する熱源機１００の仕様が対応する場合もあれば対応しない場合もある。
【００５５】
引き続き使用する熱源機１００の種類は、上述したタイプ１からタイプ３のいずれかである。ユーザーが今までタイプ１の熱源機１００を使用していた場合は、そのタイプ１の熱源機１００を引き続き使用することにする。同様に、ユーザーがタイプ２またはタイプ３の熱源機１００を使用していた場合は、そのタイプ２またはタイプ３の熱源機１００を引き続き使用することにする。タイプ１からタイプ３のいずれかの熱源機１００に対して、交換した新しい浴室空調機１が接続される。このような状況で以下の処理が実行される。
【００５６】
まず、浴室空調機１と熱源機１００が接続されて、浴室空調機１と熱源機１００の電源を入れると、浴室空調機１と熱源機１００がオン状態になる。図５に示すように、浴室空調機１と熱源機１００がオン状態になると、浴室空調機１と熱源機１００の通信が開始される。Ｓ１１では、浴室空調機１の制御部２０１が、送信部２０３から熱源機１００へ確認信号を送信する。送信された確認信号を熱源機１００の受信部３０２が受信する。この確認信号は、熱源機１００がヒートポンプを備えている種類であるか否かを確認するための信号である。浴室空調機１が接続された熱源機１００の種類を特定するために確認信号が送信される。
【００５７】
熱源機１００の種類によって確認信号に対する応答が異なる。上述したように、熱源機１００の種類がタイプ１である場合は、確認信号に対して熱源機１００が応答可能である。よって、新しい浴室空調機１が接続された熱源機１００がタイプ１である場合は、熱源機１００の制御部３０１が、確認信号に対して応答信号を送信する。また、熱源機１００の種類がタイプ１である場合は、その熱源機１００は、ヒートポンプを備えている。よって、熱源機１００の制御部３０１は、「Ｙｅｓ（ヒートポンプを備えている）」の応答信号を送信する。熱源機１００の制御部３０１は、送信部３０３から浴室空調機１へ応答信号を送信する。送信された応答信号を浴室空調機１の受信部２０２が受信する。
【００５８】
新しい浴室空調機１が接続された熱源機１００がタイプ２またはタイプ３である場合は、上記のタイプ１の場合と異なる態様になる。熱源機１００の種類がタイプ２である場合は、確認信号に対して熱源機１００が応答可能である。この点は上記のタイプ１と同様である。よって、熱源機１００の種類がタイプ２である場合は、熱源機１００の制御部３０１が、確認信号に対して応答信号を送信する。また、熱源機１００の種類がタイプ２である場合は、その熱源機１００は、ヒートポンプを備えていない。この点が上記のタイプ１と異なる。よって、熱源機１００の制御部３０１は、「Ｎｏ（ヒートポンプを備えていない）」の応答信号を送信する。熱源機１００の制御部３０１は、送信部３０３から浴室空調機１へ応答信号を送信する。送信された応答信号を浴室空調機１の受信部２０２が受信する。
【００５９】
一方、熱源機１００の種類がタイプ３である場合は、確認信号に対して熱源機１００が応答不能である。この点が上記のタイプ１とタイプ２と異なる。よって、新しい浴室空調機１が接続された熱源機１００がタイプ３である場合は、熱源機１００の制御部３０１が、確認信号に対して応答信号を送信しない。
【００６０】
上記の応答信号は、熱源機１００の種類を特定するための種類特定情報に相当する。応答信号が「Ｙｅｓ（ヒートポンプを備えている）」の信号である場合は、熱源機１００がヒートポンプを備えている種類であると特定できる。応答信号が「Ｎｏ（ヒートポンプを備えていない）」の信号である場合は、熱源機１００がヒートポンプを備えていない種類であると特定できる。図２に示す例では、熱源機１００（給湯暖房システム２）がヒートポンプ１１を備えているので、「Ｙｅｓ（ヒートポンプを備えている）」の応答信号（種類特定情報）が送信される。
【００６１】
図５に示すように、Ｓ１１に続くＳ１２では、浴室空調機１の制御部２０１が、応答信号（種類特定情報）を所定時間内に受信したか否かを判断する。応答信号（種類特定情報）を受信した場合は、制御部２０１はＳ１２でＹｅｓと判断して、Ｓ１３に進む。制御部２０１は、応答信号（種類特定情報）を受信した場合は、浴室空調機１に接続されている熱源機１００の種類を特定することができる。一方、応答信号（種類特定情報）を受信しなかった場合は、制御部２０１はＳ１２でＮｏと判断して、Ｓ２１に進む。制御部２０１は、応答信号（種類特定情報）を受信しなかった場合は、浴室空調機１に接続されている熱源機１００の種類を特定することができない。
【００６２】
Ｓ１３では、制御部２０１が、受信部２０２から受信した応答信号が「Ｙｅｓ（ヒートポンプを備えている）」の信号であるか「Ｎｏ（ヒートポンプを備えていない）」の信号であるかを判断する。すなわち、制御部２０１が、受信した種類特定情報（応答信号）によって特定される熱源機１００の種類がヒートポンプを備えている種類であるか否かを判断する。制御部２０１は、Ｓ１３で応答信号が「Ｙｅｓ」である場合は、Ｓ１４に進む。すなわち、熱源機１００がヒートポンプを備えている種類である場合は、Ｓ１３で制御部２０１がＹｅｓと判断して、Ｓ１４に進む。一方、制御部２０１は、Ｓ１３で応答信号が「Ｎｏ」である場合は、Ｓ２１に進む。すなわち、熱源機１００がヒートポンプを備えていない種類である場合は、Ｓ１３で制御部２０１がＮｏと判断して、Ｓ２１に進む。
【００６３】
Ｓ１４では、制御部２０１が、ヒートポンプ対応動作モードを設定する。すなわち、熱源機１００がヒートポンプを備えている種類である場合は、制御部２０１がヒートポンプ対応動作モードを設定する。一方、Ｓ２１では、制御部２０１が、通常動作モードを設定する。すなわち、熱源機１００がヒートポンプを備えていない種類である場合は、制御部２０１が通常動作モードを設定する。
【００６４】
続くＳ１５では、制御部２０１が、浴室空調機１の運転が停止状態であるか否かを判断する。すなわち、制御部２０１は、浴室空調機１が乾燥運転モードまたはその他の運転モード（例えば、暖房運転モード）で動作していないか否かを判断する。ユーザーが運転開始の指示をした場合は、浴室空調機１が運転状態になる。ユーザーが運転開始の指示をしていない場合は、浴室空調機１が運転停止状態である。浴室空調機１が運転停止状態である（動作していない）場合は、Ｓ１５で制御部２０１がＹｅｓと判断して、Ｓ１６に進む。一方、浴室空調機１が運転状態である（動作している）場合は、Ｓ１５で制御部２０１がＮｏと判断して、「Ａ」（図６のＳ３１）に進む。
【００６５】
Ｓ１６では、制御部２０１が、Ｓ１１の処理から所定の時間が経過したか否かを判断する。Ｓ１１の処理から所定の時間が経過した場合は、Ｓ１６で制御部２０１がＹｅｓと判断して、Ｓ１１に戻る。一方、Ｓ１１の処理から所定の時間が経過していない場合は、Ｓ１６で制御部２０１がＮｏと判断して、Ｓ１５に戻る。
【００６６】
続いて、図６に示すフローチャートを用いてＳ３１以降の処理について説明する。Ｓ３１では、既に浴室空調機１の運転が開始されており、浴室空調機１が運転状態である（動作している）。浴室空調機１の制御部２０１は、Ｓ３１で、浴室空調機１の運転モードが乾燥運転モードであるか否かを判断する。換気ファン９８が動作している場合は乾燥運転モードである。乾燥運転モードである場合は、Ｓ３１で制御部２０１がＹｅｓと判断して、Ｓ３２に進む。一方、乾燥運転モードでない場合は、Ｓ３１で制御部２０１がＮｏと判断して、Ｓ５１に進む。
【００６７】
浴室空調機１の運転モードが乾燥運転モードでない場合は、浴室空調機１はその他の運転モードで動作している。乾燥運転モード以外の運転モードは、例えば暖房運転モードである。この場合は、制御部２０１は、Ｓ５１でその他の運転モード（例えば暖房運転モード）を継続する。浴室空調機１がその他の運転モード（例えば暖房運転モード）で動作し続ける。
【００６８】
Ｓ３１でＹｅｓと判断した後のＳ３２では、制御部２０１は、ヒートポンプ対応動作モードが設定されているか否かを判断する。ヒートポンプ対応動作モードが設定されている場合は、制御部２０１はＳ３２でＹｅｓと判断して、Ｓ３３に進む。ヒートポンプ対応動作モードが設定されている場合は、浴室空調機１に接続されている熱源機１００がヒートポンプを備えている。この場合の熱源機１００は、図２および図３に示す給湯暖房システム２である。
【００６９】
一方、ヒートポンプ対応動作モードが設定されていない場合は、制御部２０１はＳ３２でＮｏと判断して、Ｓ５２に進む。ヒートポンプ対応動作モードが設定されていない場合は、通常動作モードが設定されている。通常動作モードが設定されている場合は、浴室空調機１に接続されている熱源機１００がヒートポンプを備えていない場合か、熱源機１００が応答信号を送信しない場合である。
【００７０】
続くＳ３３では、制御部２０１が、浴室空調機１の送信部２０３から熱源機１００（給湯暖房システム２）へ第１温度特定情報を送信する。温度特定情報は、水（熱媒）の温度を特定するための情報である。第１温度特定情報によって第１温度が特定される。第１温度は、例えば６０℃である。熱源機１００（給湯暖房システム２）から浴室空調機１へ第１温度（６０℃）の水が送られるように、浴室空調機１から熱源機１００へ第１温度特定情報（６０℃）が送信される。送信された第１温度特定情報を熱源機１００（給湯暖房システム２）の受信部３０２が受信する。熱源機１００（給湯暖房システム２）は、第１温度特定情報（６０℃）に基づいて、第１温度（６０℃）の水を浴室空調機１へ送る。
【００７１】
また、Ｓ３３では、制御部２０１が、低温用乾燥判定値を設定する。浴室５内の湿度が所定の湿度に達したか否かを判定するために、低温用乾燥判定値が設定される。
【００７２】
Ｓ３２でＮｏと判断された後のＳ５２では、制御部２０１が、浴室空調機１の送信部２０３から熱源機１００へ第２温度特定情報を送信する。第２温度特定情報によって第２温度が特定される。第２温度は、上記の第１温度より高い温度である。第２温度は、例えば８０℃である。熱源機１００から浴室空調機１へ第２温度（８０℃）の水が送られるように、浴室空調機１から熱源機１００へ第２温度特定情報（８０℃）が送信される。送信された第２温度特定情報を熱源機１００の受信部３０２が受信する。熱源機１００は、第２温度特定情報（８０℃）に基づいて、第２温度（８０℃）の水を浴室空調機１へ送る。なお、この場合の熱源機１００は、ヒートポンプを備えていない熱源機１００か、応答信号を送信しない熱源機１００である。熱源機１００は、図２および図３に示す給湯暖房システム２ではない。ヒートポンプを備えていない熱源機１００、あるいは、応答信号を送信しない熱源機１００から浴室空調機１へ第２温度（８０℃）の水が送られる。
【００７３】
また、Ｓ５２では、制御部２０１が、高温用乾燥判定値を設定する。浴室５内の湿度が所定の湿度に達したか否かを判定するために、高温用乾燥判定値が設定される。
【００７４】
Ｓ３３に続くＳ３４では、制御部２０１が、タイマー機能によって所定の温度確認時間を計測し、その温度確認時間が経過したか否かを判断する。所定の温度確認時間は、例えば５分間である。所定の温度確認時間が経過した場合は、Ｓ３４で制御部２０１がＹｅｓと判断して、Ｓ３５に進む。一方、所定の温度確認時間が経過していない場合は、Ｓ３４で制御部２０１がＮｏと判断して、Ｓ３６に進む。
【００７５】
Ｓ３５では、制御部２０１が、湯温サーミスタ９２の検知温度Ｔｗが第１温度（６０℃）以下であるか否かを判断する。湯温サーミスタ９２は、浴室空調機１の入水管４４に設けられており、入水管４４を流れる水の温度を検知している。湯温サーミスタ９２の検知温度Ｔｗが第１温度（６０℃）以下である場合は、Ｓ３５で制御部２０１がＹｅｓと判断して、Ｓ３６に進む。一方、湯温サーミスタ９２の検知温度Ｔｗが第１温度（６０℃）より高い（以下でない）場合は、Ｓ３５で制御部２０１がＮｏと判断して、Ｓ５２に進む。
【００７６】
上述した熱源機１００（給湯暖房システム２）には、浴室空調機１以外にも、その他の熱機器が接続されている場合がある。その他の熱機器は、例えばファンコンベクタであり、比較的高温の水を熱源として利用する機器である。浴室空調機１とその他の熱機器（例えばファンコンベクタ）が熱源機１００（給湯暖房システム２）に同時に接続されている。この場合、熱源機１００（給湯暖房システム２）から浴室空調機１とその他の熱機器（例えばファンコンベクタ）へ水が同時に送られる。さらに、熱源機１００（給湯暖房システム２）からその他の熱機器（例えばファンコンベクタ）へ第１温度（６０℃）より高温の水が送られることがある。そうすると、それと同時に浴室空調機１にも、第１温度（６０℃）より高温の水が送られる。その結果、湯温サーミスタ９２の検知温度Ｔｗが第１温度（６０℃）より高い温度になる。この場合は、Ｓ３５で制御部２０１がＮｏと判断してＳ５２に進む。Ｓ５２では、制御部２０１が第２温度特定情報（８０℃）を熱源機１００へ送信する。
【００７７】
Ｓ３５でＮｏと判断された場合（湯温サーミスタ９２の検知温度Ｔｗが第１温度（６０℃）より高い場合）は、上記のＳ３３において制御部２０１が第１温度特定情報（６０℃）を熱源機１００へ送信したにも関わらず、第１温度（６０℃）より高温の水が熱源機１００から浴室空調機１へ送られている状態である。この状態は、浴室空調機１が第１温度（６０℃）の水を要求している一方で、その他の熱機器（例えばファンコンベクタ）が第１温度（６０℃）より高温の水を要求している状態である。第１温度（６０℃）より高温の水が、浴室空調機１とその他の熱機器の両方に送られている。浴室空調機１では、第１温度（６０℃）より高温の水を利用して乾燥運転が行われている。
【００７８】
この状態で、第１温度（６０℃）の水が再び熱源機１００から浴室空調機１へ送られると、乾燥運転中の水温が第１温度より高い温度から第１温度に低下することによって、乾燥運転が正常に行われなくなることがある。そこで、Ｓ３５でＮｏと判断された場合は、浴室空調機１の制御部２０１が、第２温度特定情報（８０℃）を熱源機１００へ送信する（Ｓ５２）。これによって、熱源機１００から浴室空調機１へ第１温度（６０℃）より高温の水が送られている場合に、それより低温の第１温度（６０℃）の水が熱源機１００から浴室空調機１へ送られることがなくなる。浴室空調機１では、第１温度（６０℃）より高温の水を利用して乾燥運転が行われる。
【００７９】
続いてＳ３６では、制御部２０１が、浴室空調機１の運転が停止状態であるか否かを判断する。すなわち、制御部２０１は、浴室空調機１が乾燥運転モードで動作していないか否かを判断する。ユーザーが運転停止の指示をした場合は、浴室空調機１が運転停止状態になる。浴室空調機１が運転停止状態である（動作していない）場合は、Ｓ３６で制御部２０１がＹｅｓと判断して、「Ｂ」（図５のＳ１６）に進む。一方、浴室空調機１が運転状態である（動作している）場合は、Ｓ３６で制御部２０１がＮｏと判断して、Ｓ３４に戻る。
【００８０】
また、Ｓ５１とＳ５２に続くＳ５３では、制御部２０１が、浴室空調機１の運転が停止状態であるか否かを判断する。すなわち、制御部２０１は、浴室空調機１が乾燥運転モードまたはその他の運転モード（例えば、暖房運転モード）で動作していないか否かを判断する。浴室空調機１が運転停止状態である（動作していない）場合は、Ｓ５２で制御部２０１がＹｅｓと判断して、「Ｂ」（図５のＳ１６）に進む。一方、浴室空調機１が運転状態である（動作している）場合は、Ｓ５２で制御部２０１がＮｏと判断して、待機する。
【００８１】
以上、浴室空調機の構成について説明した。以上の説明から明らかなように、上記の浴室空調機１は、乾燥運転モードと暖房運転モードで動作可能である。この浴室空調機１では、熱源機１００から送られる熱媒（水）によって空気を加熱して浴室５内に送る。浴室空調機１は、熱源機１００の種類を特定する種類特定情報を熱源機１００から受信する受信部２０２と、熱媒の温度を特定する温度特定情報を熱源機１００へ送信する送信部２０３と、制御部２０１を備えている。制御部２０１は、乾燥運転モードにおいて以下の処理を実行する。制御部２０１は、受信部２０２から受信する種類特定情報によって特定される熱源機１００の種類がヒートポンプを備えている熱源機１００（給湯暖房システム２）である場合は、熱源機１００（給湯暖房システム２）から第１温度（６０℃）の熱媒が送られるように第１温度を特定する第１温度特定情報を送信部２０３から熱源機１００（給湯暖房システム２）へ送信する。制御部２０１は、受信部２０２から受信する種類特定情報によって特定される熱源機１００の種類がヒートポンプを備えていない熱源機１００である場合は、熱源機１００から第１温度より高温の第２温度（８０℃）の熱媒が送られるように第２温度を特定する第２温度特定情報を送信部２０３から熱源機１００へ送信する。
【００８２】
このような構成によれば、熱源機１００がヒートポンプを備えている場合は、熱源機１００（給湯暖房システム２）から浴室空調機１へ第１温度の熱媒が送られる。浴室空調機１では第１温度の熱媒によって浴室５内に送る空気が加熱される。また、熱源機１００がヒートポンプを備えていない場合は、熱源機１００から浴室空調機１へ第２温度の熱媒が送られる。浴室空調機１では第２温度の熱媒によって浴室５内に送る空気が加熱される。このように、熱源機１００の種類に応じた温度の熱媒によって浴室５内に送る空気を加熱することができる。そのため、熱源機１００の種類に応じて、その特性を活用することができる。
【００８３】
上述したように、引き続き使用する既存の熱源機１００には様々な種類のものがある。既存の熱源機１００がヒートポンプを備えている場合もあれば、ヒートポンプを備えていない場合もある。ヒートポンプを備えている熱源機１００では、熱源機１００から浴室空調機１へ送られる熱媒の温度が低い方が、エネルギー効率が高くなる。例えば、ヒートポンプのみを備える熱源機１００では、熱源機１００から浴室空調機１へ送られる熱媒の温度が低い方が、ヒートポンプを高効率で動作させることができる。また、ヒートポンプと、他の熱源、例えばガス熱源を備える熱源機１００では、熱源機１００から浴室空調機１へ送られる熱媒の温度が低い方が、ヒートポンプの利用割合が増加し、エネルギー効率が高くなる。これに対して、ヒートポンプを備えていない熱源機１００では、熱源機１００から浴室空調機１へ送られる熱媒の温度を低くしても、エネルギー効率はそれほど変化しない。そこで、上記の構成では、熱源機１００の種類に応じて、浴室空調機１から熱源機１００へ異なる温度特定情報を送信している。そのため、熱源機１００の種類に応じて、熱源機１００から浴室空調機１へ異なる温度の熱媒が送られてくる。これによって、浴室空調機１では、熱源機１００の種類に応じた温度の熱媒によって浴室５内に送る空気を加熱することができる。熱源機１００の種類に応じて、その特性を活用することができる。
【００８４】
また、浴室空調機１の制御部２０１は、種類特定情報（応答信号）を受信しなかった場合は、熱源機１００の種類を特定できない（Ｓ１２参照）。この場合は、熱源機１００から送られる熱媒の温度が第２温度（８０℃）になるように、第２温度を特定する第２温度特定情報を送信部２０３から熱源機１００へ送信する。
【００８５】
このような構成によれば、熱源機１００の種類を特定できない場合に、それに応じた温度の熱媒によって浴室５内に送る空気を加熱することができる。熱源機１００から浴室空調機１に第２温度の熱媒が送られる場合、熱源機１００から浴室空調機１に第１温度の熱媒が送られる場合に比べて、乾燥運転に要する時間は短いものとなる。上記の構成によれば、熱源機１００の種類を特定できない場合には、熱源機１００から浴室空調機１に第２温度の熱媒を送ることによって、乾燥運転に要する時間を短くすることができる。
【００８６】
また、上記の浴室空調機１は、熱源機１００から浴室空調機１へ送られる熱媒（水）の温度を検知する湯温サーミスタ９２（温度センサ）を備えている。浴室空調機１の制御部２０１は、第１温度特定情報（６０℃）を送信した場合であって、湯温サーミスタ９２によって検知される熱媒の温度Ｔｗが第１温度（６０℃）より高い場合は、第２温度特定情報（８０℃）を送信部２０３から熱源機１００へ送信する。
【００８７】
浴室空調機１の制御部２０１が第１温度特定情報（６０℃）を送信した場合は、浴室空調機１が熱源機１００に対して第１温度（６０℃）の熱媒を要求している場合である。一方、湯温サーミスタ９２によって検知される熱媒の温度Ｔｗが第１温度（６０℃）より高い場合は、熱源機１００から浴室空調機１へ第１温度（６０℃）より高温の熱媒が送られている場合である。浴室空調機１が第１温度（６０℃）の熱媒を要求しているにも関わらず、熱源機１００から浴室空調機１へ第１温度（６０℃）より高温の熱媒が送られている。例えば、熱源機１００に対して浴室空調機１とその他の熱機器（例えばファンコンベクタ）が同時に接続されており、その他の熱機器（例えばファンコンベクタ）が熱源機１００に対して第１温度（６０℃）より高温の熱媒を要求している場合である。その他の熱機器（例えばファンコンベクタ）の要求によって、第１温度（６０℃）より高温の熱媒が熱源機１００からその他の熱機器に送られると共に、それと同時に浴室空調機１にも第１温度（６０℃）より高温の熱媒が送られる。浴室空調機１では、第１温度（６０℃）より高温の熱媒によって浴室５内に送る空気を加熱する。第１温度（６０℃）より高温の熱媒を利用して乾燥運転が行われる。
【００８８】
この状態で、第１温度（６０℃）の熱媒が再び熱源機１００から浴室空調機１へ送られると、乾燥運転中の熱媒の温度が第１温度より高い温度から第１温度に低下することによって、乾燥運転が正常に行われなくなることがある。そこで、上記の構成では、制御部２０１が、第１温度特定情報（６０℃）を送信した場合であって、湯温サーミスタ９２によって検知される熱媒の温度Ｔｗが第１温度（６０℃）より高い場合は、第２温度特定情報（８０℃）を熱源機１００へ送信する。これによって、第１温度（６０℃）の熱媒が熱源機１００から浴室空調機１へ送られることがなくなる。そのため、乾燥運転中に熱媒の温度が低下することがなく、乾燥運転が正常に行われる。
【００８９】
以上、一実施例について説明したが具体的な態様は上記実施例に限定されるものではない。例えば、他の実施例ではリモコンが設置されていてもよい。リモコンの設置場所は特に限定されるものではない。このリモコンは、例えば、図２に示すタンクユニット２０のリモコン２０ｂであってもよい。浴室空調機１のユーザーが、リモコンを介して熱媒の温度を指定することができる。ユーザーは、熱源機１００から浴室空調機１へ送られる水（熱媒）の温度を指定する。例えば、ユーザーが第２温度を指定する。
【００９０】
浴室空調機１の制御部２０１は、乾燥運転モードにおいて、ユーザーによって第２温度が指定された場合は以下の処理を実行する。すなわち、制御部２０１は、第２温度が指定された場合は、第２温度を特定する第２温度特定情報を送信部２０３から熱源機１００へ送信する。制御部２０１は、浴室空調機１に接続されている熱源機１００の種類がヒートポンプを備えている熱源機１００であるかヒートポンプを備えていない熱源機１００であるかに関わらず、第２温度特定情報を熱源機１００へ送信する。また、熱源機１００から浴室空調機１へ第１温度の水が送られている場合であっても、制御部２０１は熱源機１００へ第２温度特定情報を送信する。
【００９１】
これによって、ユーザーによって指定された第２温度の水が熱源機１００から浴室空調機１へ送られる。熱源機１００がヒートポンプを備えている場合であっても、熱源機１００から浴室空調機１へ第２温度の水が送られる。浴室空調機１では、第２温度の水によって浴室５内に送る空気が加熱される。このような構成によれば、ユーザーによって第２温度が指定された場合に、それに応じた温度の熱媒（水）によって浴室５内に送る空気を加熱することができる。ユーザーの希望を反映させた温度の熱媒によって浴室５内に送る空気を加熱することができる。
【００９２】
以上、本発明の具体例を詳細に説明したが、これらは例示に過ぎず、特許請求の範囲を限定するものではない。特許請求の範囲に記載の技術には、以上に例示した具体例を様々に変形、変更したものが含まれる。本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００９３】
１        ：浴室空調機
２        ：給湯暖房システム
５        ：浴室
１０      ：ヒートポンプユニット
１１      ：ヒートポンプ
２０      ：タンクユニット
４１      ：往き管
４２      ：戻り管
４４      ：入水管
４５      ：出水管
５０      ：ガス熱源機ユニット
９１      ：気液熱交換器
９２      ：湯温サーミスタ
９３      ：流量制御弁
９４      ：循環ファン
９７      ：可変ルーバー
９８      ：換気ファン
１００    ：熱源機
２００    ：コントローラー
２０１    ：制御部
２０２    ：受信部
２０３    ：送信部
【図１】
0006590747.tif 000002
【図２】
0006590747.tif 000003
【図３】
0006590747.tif 000004
【図４】
0006590747.tif 000005
【図５】
0006590747.tif 000006
【図６】
0006590747.tif 000007